(57)【要約】      （修正有）【課題】性能、着用の快適性を高める紙おむつを提供する。【解決手段】紙おむつは、クロッチ部１、クロッチ部両端に連接する前腰部２、後腰部３を有する。クロッチ部、前腰部、後腰部の内部には吸收芯体を設置し、クロッチ部の辺縁には立体ギャザー５を設置する。前腰部の防水底層上には面ファスナー６を粘着する。クロッチ部の防水底層には縦方向に複数のゴム紐７或いはシート状弾性体を設置する。立体ギャザー５はギャザー片主体、隔離サポートバンドを有する。ギャザー片主体の外辺縁と隔離サポートバンドの中央部とは連接し、Ｔ型構造を構成する。面ファスナー６は二段式構造で、左片６１は前腰部の左側に設置され、右片６２は前腰部の右側に設置される。【選択図】図２ａ
0003202652.tif 000002
【実用新案登録請求の範囲】
【請求項１】
紙おむつであって、クロッチ部、前記クロッチ部両端に連接する前腰部、後腰部を有し、
前記クロッチ部、前記前腰部、前記後腰部の内部には、吸收芯体を設置し、前記クロッチ部の辺縁には、立体ギャザーを設置し、前記前腰部の防水底層上には、マジックテープ（登録商標）テープ片を粘着し、
前記防水底層には、縦方向に配置する複数のゴム紐或いはシート状弾性体を設置し、
前記吸收芯体には、長い方向に沿って、少なくとも１個の断口槽を開設し、
前記立体ギャザーは、ギャザー片主体、隔離サポートバンドを有し、前記ギャザー片主体の外辺縁と前記隔離サポートバンドの中央部とは連接し、こうして前記隔離サポートバンドと前記ギャザー片主体とは、Ｔ型構造を構成し、
前記マジックテープ（登録商標）テープ片は二段式構造で、左テープ片段、右テープ片段により組成され、前記左テープ片段は、前腰部の左側に設置され、前記右テープ片段は、前腰部の右側に設置され、且つ前記左テープ片段、右テープ片段の外辺縁には、不織布片を設置しないことを特徴とする紙おむつ。
【請求項２】
前記ゴム紐或いはシート状弾性体の両端は、前記前腰部、前記後腰部の下端に接続することを特徴とする請求項１に記載の紙おむつ。
【請求項３】
前記断口槽の断面高度は、前記吸收芯体の高度の半分より大きいか等しいことを特徴とする請求項１に記載の紙おむつ。
【請求項４】
前記断口槽は、Ｕ形槽或いはＶ形槽で、
前記Ｕ形槽の幅は、５〜２５ｍｍで、
前記Ｖ形槽の槽口幅は、５〜２５ｍｍであることを特徴とする請求項１或いは３に記載の紙おむつ。
【請求項５】
前記断口槽の長さは、８〜３０ｃｍで、且つ前記断口槽の両端部から前記吸收芯体の長方向辺縁までには、３ｃｍ以上の距離を有することを特徴とする請求項４に記載の紙おむつ。
【請求項６】
前記隔離サポートバンドの幅は、０．８〜２ｃｍで、且つ３〜６本のゴム紐を設置し、
前記ギャザー片主体上には、ゴム紐を設置しないことを特徴とする請求項１に記載の紙おむつ。
【請求項７】
前記左テープ片段、前記右テープ片段の幅は等しく、また６〜２０ｃｍの間で、
且つ前記左右テープ片段の間隔距離は３ｃｍ以上で、且つ前記左右テープ片段と側部辺縁との距離は２〜５ｃｍであることを特徴とする請求項１に記載の紙おむつ。
【考案の詳細な説明】
【技術分野】
【０００１】
本考案は紙おむつに関する。
【背景技術】
【０００２】
現在市場で見られる紙おむつの多くは、腰部及びふともも部の股周りにゴム紐を設置し、これにより腰部とふともも部を束縛し、よりフィットさせる。
クロッチ部にゴム紐或いはシート状弾性体が設置されていない市販の紙おむつは、尿を吸収後、重くなり下垂し、両ふとももの間に引っかかる。
これが長くなると、足がＯ脚になる可能性がある。
且つ尿の重量は、ふともも部の受力点に対して、非常に大きな下垂力を及ぼすため、着用者の快適性に悪影響を及ぼす他、側面からの尿漏れを引き起こしやすい。
【０００３】
且つ現在紙おむつの前腰部に設置されているマジックテープ（登録商標）テープ片は通常、比較的長く、左右連通の構造を呈する。
また、マジックテープ（登録商標）テープ片の外辺縁にはさらに、不織布片をそれぞれ連接する。
通常、マジックテープ（登録商標）テープ片の両側辺縁からの距離は６ｃｍ以上であるため、使用時には、左右中央部位のマジックテープ（登録商標）テープ片は、使われていない。
さらに、マジックテープ（登録商標）テープ片外辺縁の両不織布片も役割を果たしていないため、無駄になっている。
業界内では、コストを引き下げるため、マジックテープ（登録商標）テープ片の幅を２〜４ｃｍにするなど狭くしている。
しかし、これでは粘着効果に影響を及ぼし、十分堅固に粘着できなくなってしまう。
【０００４】
さらに、紙おむつの吸水性、導流の効率は、紙おむつの良し悪しを決める重要な指標である。
そのため、紙おむつの吸水性、導流効率を高めるため、業界内ではすでに多くのソリューションが開発されている。
しかし、吸收芯体上に開槽を設置し、紙おむつの吸水性、導流効率を高める方法は現れていない。
【０００５】
また、従来の紙おむつの一般的な立体ギャザーは平面構造である。
そのため、ゲル化後に辺縁が硬くなり、ゴム紐が收縮すると、硬く尖った角を形成し、皮膚を傷つけ易い。
特に、嬰児の柔らかい肌には注意が必要である。
【考案の概要】
【考案が解決しようとする課題】
【０００６】
前記先行技術の説明で分かるとおり、吸收芯体上に開槽を設置し、紙おむつの吸水性、導流効率を高める方法は現れておらず、また立体ギャザーが平面構造であるため、ゲル化後に辺縁が硬くなり、嬰児の柔らかい肌を傷つける恐れがある欠点がある。
【課題を解決するための手段】
【０００７】
本考案は従来の紙おむつ構造を改善し、紙おむつの性能、着用の快適性を効果的に高め、材料を高効率で利用することで省エネに貢献できる紙おむつに関する。
【０００８】
本考案による紙おむつは、クロッチ部、及び該クロッチ部両端に連接する前腰部、後腰部を有する。
該クロッチ部、該前腰部、該後腰部の内部には、吸收芯体を設置する。
該クロッチ部の辺縁には、立体ギャザーを設置し、該前腰部の防水底層上には、マジックテープ（登録商標）テープ片を粘着する。
該クロッチ部の防水底層には、縦方向に配置する複数のゴム紐或いはシート状弾性体を設置する。
該吸收芯体には、長い方向に沿って、少なくとも１個の断口槽を開設する。
該立体ギャザーは、ギャザー片主体、隔離サポートバンドを有する。
該ギャザー片主体の外辺縁と隔離サポートバンドの中央部とは連接し、こうして該隔離サポートバンドと該ギャザー片主体とは、Ｔ型構造を構成する。
該マジックテープ（登録商標）テープ片は二段式構造で、左テープ片段、右テープ片段により組成される。
該左テープ片段は、該前腰部の左側に設置され、該右テープ片段は、該前腰部の右側に設置され、且つ該左テープ片段、該右テープ片段の外辺縁には、不織布片を設置しない。
【０００９】
本考案による紙おむつにおいて、該ゴム紐或いは該シート状弾性体の両端は、該前腰部、該後腰部の下端に接続する。
【００１０】
本考案による紙おむつにおいて、該断口槽の断面高度は、該吸收芯体の高度の半分より大きいか等しい。
【００１１】
本考案による紙おむつにおいて、該断口槽は、Ｕ形槽或いはＶ形槽で、該Ｕ形槽の幅は、５〜２５ｍｍで、該Ｖ形槽の槽口幅は、５〜２５ｍｍである。
【００１２】
本考案による紙おむつにおいて、該断口槽の長さは、８〜３０ｃｍで、且つ断口槽の両端部から該吸收芯体の長方向辺縁までには、３ｃｍ以上の距離を有する。
【００１３】
本考案による紙おむつにおいて、該隔離サポートバンドの幅は、０．８〜２ｃｍで、且つ３〜６本のゴム紐を設置し、該ギャザー片主体上には、ゴム紐を設置しない。
【００１４】
本考案による紙おむつにおいて、該左テープ片段、該右テープ片段の幅は等しく、また６〜２０ｃｍの間である。
且つ該左右テープ片段の間隔距離は３ｃｍ以上で、且つ該左右テープ片段と側部辺縁との距離は、２〜５ｃｍである。
【００１５】
本考案の実施形態を応用する長所は、以下のとおりである。
1.  紙おむつのクロッチ部の防水底層内に縦方向に配置する複数のゴム紐或いはシート状弾性体を通して、クロッチ部に対して上向きのサポート力を生じ、紙おむつが尿を吸収して重くなり下垂し、Ｏ脚及び側面からの尿漏れを生じることを防止できる。
2.  紙おむつの吸收芯体の長い方向に沿って少なくとも１個の断口槽を開設することで、断口位置の透過効果はより向上し、紙おむつの吸水性、導流効率を高めることで、紙おむつを十分利用し、側面からの漏れを効果的に防止でき、且つ断口槽の設置により、紙おむつ着用時に吸收芯体はふとももとの間隙が自然に折れ、Ｏ脚の形成を効果的に防止できる。
3.  紙おむつの立体ギャザーのギャザー片主体上に隔離サポートバンドを設置し、且つギャザー片主体の外辺縁と隔離サポートバンドの中央部とは連接し、こうして隔離サポートバンドとギャザー片主体構成とはＴ型構造を呈し、立体ギャザーの辺縁は硬い尖角を生じず、皮膚が傷つけられ、或いは摩擦で傷つく現象を完全に回避でき、且つ側面からの漏れ防止効果も大幅に高めることができる。
4.  紙おむつのマジックテープ（登録商標）テープ片を二段式構造に設置し、左テープ片段を前腰部の左側で辺縁近くに設置し、右テープ片段を前腰部の右側で辺縁近くに設置し、且つ左テープ片段、右テープ片段の外辺縁には不織布片を設置せず、これによりウエストを保証しながら、不織布及びマジックテープ（登録商標）テープ片の使用量を減らし、コストを低下させられ、また前腰部と後腰部との粘着の信頼性を保証することができる。
【図面の簡単な説明】
【００１６】
【図１】本考案の一実施形態による紙おむつの背面の主視構造模式図である。
【図２ａ】本考案の一実施形態による紙おむつ防水底層の主視構造模式図である。
【図２ｂ】本考案の一実施形態による紙おむつ防水底層の主視構造模式図である。
【図３】本考案の一実施形態による紙おむつ吸收芯体の主視構造模式図である。
【図３ａ】本考案の一実施形態による紙おむつ中断口槽横断面の構造模式図である。
【図３ｂ】本考案の別種の実施形態による紙おむつ中断口槽横断面の構造模式図である。
【図４】本考案の一実施形態による紙おむつ中立体ギャザーの平面構造模式図である。
【図４ａ】本考案の一実施形態による紙おむつ中立体ギャザーの断面構造模式図である。
【考案を実施するための形態】
【００１７】
（一実施形態）
図１〜図４ａに示すとおり、本考案の紙おむつは、クロッチ部１、及びクロッチ部１両端に連接する前腰部２、後腰部３を有する。
クロッチ部１、前腰部２、後腰部３の内部には、吸收芯体４１を設置する。
クロッチ部１の辺縁には、立体ギャザー５を設置する。
前腰部２の防水底層４２（すなわち、最外層）上には、マジックテープ（登録商標）テープ片６を粘着する。
【００１８】
図２ａに示すとおり、クロッチ部１の防水底層４２には、縦方向に配置する複数のゴム紐７を設置し、或いは図２ｂに示すとおり、クロッチ部１の防水底層４２には、縦方向に配置する複数のシート状弾性体８を設置する。
これにより、クロッチ部１に対して、上向きのサポート力を生じ、紙おむつが尿を吸収して重くなり下垂し、Ｏ脚及び側面からの尿漏れを生じることを防止できる。
ゴム紐７或いはシート状弾性体８の両端は、前腰部２、後腰部３の下端に接続し、こうしてクロッチ部１の縦方向收縮効果はより向上し、さらに腰部の力を通して、クロッチ部１をさらにしっかりと支えることができる。
【００１９】
図３〜図３ｂに示すとおり、吸收芯体４１は、長い方向に沿って少なくとも１個の断口槽４１２を開設する。
【００２０】
図３ａ、図３ｂに示すとおり、断口槽４１２の断面高度ｈは、前記吸收芯体の高度の半分より大きいか等しい吸收芯体４１の高度Ｈより小さいか等しい。
断口槽４１２の断面の高度ｈが大きければ大きいほど、断面の吸收能力はより良くなるが、吸收芯体４１の高度を超えることはできない。
且つ断口槽２の幅Ｗは、広過ぎないことが好ましい。
【００２１】
図３ａに示すとおり、断口槽４１２がＵ形槽で、断口槽の幅は５〜２５ｍｍが好ましい。
或いは如図３ｂに示すとおり、断口槽４１２がＶ形槽で、且つ断口槽４１２の槽口幅は５〜２５ｍｍが好ましい。
広過ぎれば、吸收芯体４１の全体吸收量に影響を及ぼす。
【００２２】
断口槽４１２の両端部から吸收芯体４１の長方向辺縁までには、距離Ｄを有する。
距離Ｄは、３ｃｍより大きいか等しいことが好ましく、これにより尿の量が多過ぎる時に、吸收芯体４１の端部側面からの漏れを防止する。
且つ断口槽４１２の長さは、８〜３０ｃｍが好ましく、これにより良好な導流、拡散効果を実現する。
【００２３】
図４、図４ａに示すとおり、立体ギャザー５は、ギャザー片主体５１、隔離サポートバンド５２を有する。
ギャザー片主体５１の外辺縁と隔離サポートバンド５２の中央部とは連接し、こうして隔離サポートバンド５２とギャザー片主体５１とは、Ｔ型構造を構成する。
隔離サポートバンド５２の幅は、０．８〜２ｃｍで、且つ３〜６本のゴム紐５３を設置し、ギャザー片主体５１上には、ゴム紐を設置しない。
【００２４】
ギャザー片主体５１の外辺縁に設置する隔離サポートバンド５２を通して、使用時には、ギャザー片主体５１の外辺縁は、直接皮膚に接触せず、隔離サポートバンド５２の平面を通して、皮膚に接触する。
これにより、皮膚が傷つけられ、或いは摩擦で傷つく現象を完全に回避でき、且つ側面からの漏れ防止効果も大幅に高めることができる。
【００２５】
図１に示すとおり、マジックテープ（登録商標）テープ片６は二段式構造で、左テープ片段６１、右テープ片段６２により組成される。
左テープ片段６１は、前腰部２の左側に設置され、右テープ片段６２は、前腰部２の右側に設置される。
且つ左テープ片段、右テープ片段の外辺縁には、不織布片を設置しない。
左テープ片段６１、右テープ片段６２の幅は等しく、また６〜２０ｃｍの間である。
且つ左右テープ片段の間隔距離は３ｃｍ以上で、且つ左右テープ片段と側部辺縁との距離は、２〜５ｃｍである。
【００２６】
紙おむつのマジックテープ（登録商標）テープ片６を、二段式構造に設置し、左テープ片段を前腰部の左側で辺縁近くに設置し、右テープ片段を、前腰部の右側で辺縁近くに設置する。
これにより、ウエストを保証しながら、不織布及びマジックテープ（登録商標）テープ片の使用量を減らし、コストを低下させられ、また前腰部２と後腰部３との粘着の信頼性を保証することができる。
【００２７】
前述した本考案の実施形態は本考案を限定するものではなく、よって、本考案により保護される範囲は後述される実用新案登録請求の範囲を基準とする。
【符号の説明】
【００２８】
１      クロッチ部
２      前腰部
３      後腰部
４１    吸收芯体
４１２  断口槽
４２    防水底層
５      立体ギャザー
５１    ギャザー片主体
５２    隔離サポートバンド
５３    ゴム紐
６      マジックテープ（登録商標）テープ片
６１    左テープ片段
６２    右テープ片段
７      ゴム紐
８      シート状弾性体
【図１】
0003202652.tif 000003
【図２ａ】
0003202652.tif 000004
【図２ｂ】
0003202652.tif 000005
【図３】
0003202652.tif 000006
【図３ａ】
0003202652.tif 000007
【図３ｂ】
0003202652.tif 000008
【図４】
0003202652.tif 000009
【図４ａ】
0003202652.tif 000010
【手続補正書】
【提出日】平成27年12月11日(2015.12.11)
【手続補正１】
【補正対象書類名】実用新案登録請求の範囲
【補正対象項目名】請求項１
【補正方法】変更
【補正の内容】
【請求項１】
紙おむつであって、クロッチ部、前記クロッチ部両端に連接する前腰部、後腰部を有し、
前記クロッチ部、前記前腰部、前記後腰部の内部には、吸收芯体を設置し、前記クロッチ部の辺縁には、立体ギャザーを設置し、前記前腰部の防水底層上には、面ファスナーテープ片を粘着し、
前記防水底層には、縦方向に配置する複数のゴム紐或いはシート状弾性体を設置し、前記吸收芯体には、長い方向に沿って、少なくとも１個の断口槽を開設し、前記立体ギャザーは、ギャザー片主体、隔離サポートバンドを有し、前記ギャザー片主体の外辺縁と前記隔離サポートバンドの中央部とは連接し、こうして前記隔離サポートバン
ドと前記ギャザー片主体とは、Ｔ型構造を構成し、
前記面ファスナーテープ片は二段式構造で、左テープ片段、右テープ片段により組成され、前記左テープ片段は、前腰部の左側に設置され、前記右テープ片段は、前腰部の右側に設置され、且つ前記左テープ片段、右テープ片段の外辺縁には、不織布片を設置しないことを特徴とする紙おむつ。